(57)【特許請求の範囲】
【請求項１】
弾性圧搾可能な胴部の上端から口頸部２を起立する容器体１と、
上記口頸部２外面に嵌合させた装着筒部11の上端から第１内向きフランジ状壁12を介して中間筒部13を起立すると共に、該中間筒部の上端から第２内向きフランジ状壁15を介して起立する上方筒部16上端に頂壁18を横設し、又該頂壁の中央部に穿設した注出孔の周縁から注出筒部19を起立したキャップ本体10と、
該キャップ本体の中間筒部13内面に固着筒部21を嵌着させ、又該固着筒部の内面から内向きフランジ状の水平壁23を介して主筒部24を起立し、かつ該主筒部の上端に横設した弾性壁25に切り離し面相互が圧接するスリット27を穿設した弾性弁20と、
上記キャップ本体10の上方筒部16外面に、頂壁31周縁から垂設した嵌合筒部32の下部を嵌合させ、又その頂壁31の下面中央部から垂設した棒状栓部34を上記注出筒部19内へ水密に嵌合させた補助キャップ30と
からなる合成樹脂製注出容器。
【請求項２】
補助キャップ30の棒状栓部34を下方へ延長形成し、かつ該延長形成部34ａの下端面で弾性壁25の中央部を弾性に抗して押し込むことでスリット27を開口させた請求項１記載の合成樹脂製注出容器。
【発明の詳細な説明】
【０００１】
【発明の属する技術分野】
本発明は、胴部を弾性圧搾して収納液体を注出させる合成樹脂製注出容器に関する。
【０００２】
【従来の技術】
【発明が解決しようとする課題】
この種容器として、胴部上端から口頸部を起立した容器体と、口頸部外面に嵌合させた装着筒部の上端に、口頸部上面を閉塞する頂壁を横設すると共に、該頂壁に小径の注出孔を穿設し、該注出孔を閉塞する蓋板の後部を装着筒部の後部上端にヒンジを介して結合させた注出キャップからなり、蓋板を開蓋させ、かつ容器体胴部を弾性圧搾させることで収納液体を注出させるよう形成したものがある。
【０００３】
上記従来容器では、洗剤液等のように発泡し易い液体を収納した場合、液体注出後に容器を台上等に載置させたとき等に、注出孔から小径の泡が出ることがある。この原因は明確ではないが、注出孔の内周面に付着した液体が膜状となって小透孔を閉塞することがあるため、容器を台上に置いたときの衝撃で容器体が弾性変形して、容器体内が僅かに高圧化したとき、注出孔の内周面に付着した膜が膨んで泡となると考えられる。
【０００４】
上記のような泡の発生は、使用上、大きな問題ではないが、需要者が容器に対して悪い印象を持ち、場合によっては不信感を抱くことがあるので好ましくない。
【０００５】
本発明は、注出孔の下方に、容器体内が相当高圧化した場合に開弁する吐出弁を形成することで、泡の発生を阻止できるよう設け、又吐出弁が開弁不良となって注出の支障となることないよう設けた。
【０００６】
【課題を解決するための手段】
第１の手段として、弾性圧搾可能な胴部の上端から口頸部２を起立する容器体１と、
上記口頸部２外面に嵌合させた装着筒部11の上端から第１内向きフランジ状壁12を介して中間筒部13を起立すると共に、該中間筒部の上端から第２内向きフランジ状壁15を介して起立する上方筒部16上端に頂壁18を横設し、又該頂壁の中央部に穿設した注出孔の周縁から注出筒部19を起立したキャップ本体10と、
該キャップ本体の中間筒部13内面に固着筒部21を嵌着させ、又該固着筒部の内面から内向きフランジ状の水平壁23を介して主筒部24を起立し、かつ該主筒部の上端に横設した弾性壁25に切り離し面相互が圧接するスリット27を穿設した弾性弁20と、
上記キャップ本体10の上方筒部16外面に、頂壁31周縁から垂設した嵌合筒部32の下部を嵌合させ、又その頂壁31の下面中央部から垂設した棒状栓部34を上記注出筒部19内へ水密に嵌合させた補助キャップ30とで形成した。
【０００７】
第２の手段として、上記第１の手段を有すると共に、補助キャップ30の棒状栓部34を下方へ延長形成し、かつ該延長形成部34ａの下端面で弾性壁25の中央部を弾性に抗して押し込むことでスリット27を開口させた。
【０００８】
【発明の実施の形態】
本発明容器は、容器体１, キャップ本体10, 弾性弁20および補助キャップ30からなり、容器体１は、弾性圧搾可能な胴部上端から肩部を介して、又は介することなく直接口頸部２を起立している。
【０００９】
キャップ本体10は、上記口頸部２外面に螺合させた装着筒部11を有し、該装着筒部の上端から第１内向きフランジ状壁12を介して中間筒部13を起立すると共に、該中間筒部の上端から第２内向きフランジ状壁15を介して上方筒部16を起立すし、かつ該上方筒部の上端に、半球面状に上方へ彎曲する頂壁18を横設し、かつ該頂壁の中央部に穿設した注出孔の周縁から注出筒部19を起立している。更に、上記中間筒部13の内面中間部には係合溝部14を、かつ上方筒部16の外面中間には係合突起17を、それぞれ周設し、又更に、上記中間筒部13と上方筒部16をそれぞれ下方へ延長形成して、中間筒部13の下方延長形成部分内面を口頸部２の上端部へ嵌合させている。
【００１０】
弾性弁20は、上記キャップ本体10の中間筒部13内面に固着筒部21の下部を、かつ上記上方筒部16の下方延長形成部分16ａ外面に固着筒部21の上部を、それぞれ嵌合させ、又その固着筒部21の外面中間に周設した係合突条22を上記係合溝部14内へ係合させて固着筒部21を抜け止めし、更に、その固着筒部21の内面から内向きフランジ状の水平壁23を介して起立する主筒部24の上端に、半球面状に下方へ彎曲する弾性壁25を横設し、該弾性壁の下面外周部に周設した環状突条26の上端が囲む弾性壁部分にスリット27を穿設している。該スリットは、後述するように図１が示す補助キャップ30を閉塞させた状態では開口し、かつ図３が示す閉蓋状態では、切り離し面相互が圧接して閉塞する。又図示実施形態では、スリット27を一文字状に穿設したが、十字状或いはＹ字状等、収納液体の粘度、使用量等を勘案して適宜形状に穿設し、又スリット27は、図３が示す状態で容器体内が相当高圧化した場合に弾性壁25が弾性変形して開口するよう形成している。
【００１１】
補助キャップ30は、上記キャップ本体10の上方筒部16外面に、頂壁31周縁から垂設した嵌合筒部32の下部を嵌合させると共に、該嵌合筒部の下端内面に周設した係合突部33の上面を上記キャップ本体10の係合突起17下面へ強制乗越え可能に係合させ、又上記頂壁31の下面中央部から垂設した棒状栓部34を上記キャップ本体10の注出筒部19内へ水密に嵌合させ、更に、その棒状栓部34を下方へ延長形成して、該延長形成部分34ａの下端面で上記弾性壁25の中央部を弾性に抗して押し込むことで、図２が示すように上記スリット27を開口させている。
【００１２】
収納液体を注出する場合は、図１が示す状態から図３が示すように、補助キャップ30を開蓋する。該状態では、棒状栓部34の延長形成部分34ａ下端面が弾性壁25から離れ、スリット27は、切り離し面相互が弾性圧接して閉塞する。次に、容器体胴部を弾性圧搾して容器体内を加圧すると、スリット27が開口して収納液体が注出される。又該状態から胴部の圧搾を解放すると、スリット27は一旦閉塞するが、再び開口して外気が容器体内へ吸入され、容器体内の負圧化が解消され、該負圧状態の解消でスリット27が閉塞する。
【００１３】
尚弾性弁20は、シリコンゴム，合成ゴム或いは軟質樹脂材で成形し、他の部品は、適宜合成樹脂材で成形する。
【００１４】
【発明の効果】
本発明は上記構成とするもので、請求項１記載の発明の場合は、キャップ本体10の中間筒部13内面に弾性弁20の固着筒部21を嵌着させ、かつ該固着筒部の内面から内向きフランジ状の水平壁23を介して主筒部24を起立し、該主筒部の上端に切り離し面相互が圧接するスリット27付きの弾性壁25を横設したから、容器体内がある程度以上の高圧状態とならない限り、弾性壁25が弾性変形してスリット27が開口することがなく、よって、容器を台上に載置させた衝撃等により、容器体内が多少高圧化しても、スリット27が開口することはないので、容器体内の加圧空気が注出筒部19内へ流入することが阻止され、よって、容器を台上に載置させた衝撃等で泡が発生することがない。又弾性弁20の弾性壁25にスリット27を穿設したから、図１が示す状態から補助キャップ30を外し、かつ容器体胴部を弾性圧搾して容器体内を加圧することで、スリット27を開口させて収納液体を容易に注出でき、かつ該状態から容器体胴部を解放すると、弾性壁25が弾性復元してスリット27が閉塞するから、使用後に補助キャップ30を閉め忘れても、収納液体が蒸発することが阻止される。
【００１５】
請求項２記載の発明の場合は、請求項１記載の発明の効果を有し、かつ補助キャップ30の棒状栓部34を下方へ延長形成し、かつ該延長形成部分34ａの下端面で弾性壁25の中央部を弾性に抗して押し込むことでスリット27を開口させたから、補助キャップ30を閉蓋した状態では、スリット27が常時開口していることとなり、よって、不使用状態で容器を長期間放置しても、スリット27の相互に当接する内面同志が接着して、注出時にスリット27を大きく開口できなくなり、注出に支障を来すことがない。
【図面の簡単な説明】
【図１】  本発明容器の一実施形態を示す要部縦断面図である。
【図２】  図１Ａ−Ａ線を矢示方向に見た同実施形態の横断面図である。
【図３】  補助キャップを外した状態で示す同実施形態の要部拡大縦断面図である。
【符号の説明】
１…容器体  10…キャップ本体  20…弾性弁
30…補助キャップ
【図１】
0003741857.tif 000002
【図２】
0003741857.tif 000003
【図３】
0003741857.tif 000004